(57)【要約】  ヘッドギア−イヤウェアアセンブリ（２００）及びこれを組み立てる方法。ヘッドギア−イヤウェアアセンブリは、一緒に連結されるように適合されたイヤウェア（２０４）及びヘッドギア（２０２）を含み得る。イヤウェアは、コードなどの細長い部材及び細長い部材に連結されるイヤピース（２０８）を含み得る。ヘッドギアは主表面（２１２）及びヘッドギアの主表面に実質的に沿って配向されるチャネル（２２０）を含み得る。チャネルは、細長い部材の長さの少なくとも一部を取り外し可能に収容するように構成され得る。ヘッドギアは、チャネルの付近に位置付けられ、チャネルに対して開いている開口（２２２）を更に含み得る。開口は、その長さの少なくとも一部に沿ってうねっている形状を含み得る。本方法は、細長い部材の長さの少なくとも一部がチャネル内に取り外し可能に収容されるように、細長い部材の少なくとも一部をチャネル内に位置付ける工程を含み得る。【選択図】図４
2012531252.tif 000002
【特許請求の範囲】
【請求項１】
イヤウェア及び主表面を有するヘッドギアを含むヘッドギア−イヤウェアアセンブリであって、
前記イヤウェアは、長さを有する細長い部材及び前記細長い部材と連結されるイヤピースを含み、
前記ヘッドギア及び前記イヤウェアは、一緒に連結されるように適合され、
前記ヘッドギアは、
該ヘッドギアの前記主表面に実質的に沿って配置されるチャネルであって、前記細長い部材の前記長さの少なくとも一部を取り外し可能に収容するように構成されるチャネルと、
前記チャネルの付近に位置付けられ、前記チャネルに対して開いている開口であって、該開口はその長さの少なくとも一部に沿ってうねっている形状を有する開口と、を含む、ヘッドギア−イヤウェアアセンブリ。
【請求項２】
ヘッドギア−イヤウェアアセンブリを組み立てる方法であって、前記方法は
長さを有する細長い部材と前記細長い部材と連結されるイヤピースとを含むイヤウェアを用意する工程と、
主表面を有するヘッドギアを用意する工程であって、
前記ヘッドギアは、
前記ヘッドギアの前記主表面に実質的に沿って配置されるチャネル、及び
前記チャネルの付近に位置付けられ、前記チャネルに対して開いている開口であって、該開口はその長さに沿ってうねっている形状を有する、開口を含む、ヘッドギアを用意する工程と、
前記細長い部材の前記長さの少なくとも一部が前記チャネル内に取り外し可能に収容されるように、前記細長い部材の少なくとも一部を前記チャネル内に位置付ける工程と、を含む、方法。
【請求項３】
前記開口が少なくとも１つの突起部によって画定される、請求項１又は２に記載のアセンブリ又は方法。
【請求項４】
前記開口が第１部分及び第２部分を含む壁部内に形成され、前記第１部分及び前記第２部分の少なくとも一方が前記少なくとも１つの突起部を含む、請求項３に記載のアセンブリ又は方法。
【請求項５】
前記開口が前記第１部分及び第２部分を含む壁部内に形成され、前記第１部分が少なくとも１つの第１突起部を含み、前記第２部分が少なくとも１つの第２突起部を含み、前記少なくとも１つの第１突起部は前記少なくとも１つの第２突起部に対してずれており、前記少なくとも１つの第１突起部及び前記少なくとも１つの第２突起部は、前記開口の前記うねっている形状を少なくとも部分的に形成するように位置付けられる、請求項１〜４のいずれか一項に記載のアセンブリ又は方法。
【請求項６】
前記イヤピースが耳栓を含む、請求項１〜５のいずれか一項に記載のアセンブリ又は方法。
【請求項７】
前記開口が前記壁部内に形成され、前記壁部が、前記開口の少なくとも一部を一緒に画定する第１部分及び第２部分を含み、前記第１部分及び前記第２部分の少なくとも一方がうねっている外形を含む、請求項１〜６のいずれか一項に記載のアセンブリ又は方法。
【請求項８】
前記ヘッドギアが前記ヘッドギアの別の部分に連結されるチャネルホルダーを含み、前記チャネルが前記チャネルホルダーの少なくとも一部によって画定される、請求項１〜７のいずれか一項に記載のアセンブリ又は方法。
【請求項９】
前記チャネルホルダーが、前記ヘッドギアの別の部分に取り外し可能に連結される、請求項８に記載のアセンブリ又は方法。
【請求項１０】
前記チャネルホルダーが前記ヘッドギアの別の部分に留められるように適合されるクリップを含む、請求項８又は９に記載のアセンブリ又は方法。
【請求項１１】
前記チャネルホルダーを前記ヘッドギアの別の部分に連結する工程を更に含む、請求項８〜１０のいずれか一項に記載の方法。
【請求項１２】
前記チャネルホルダーを前記ヘッドギアの別の部分に連結する工程が、前記チャネルホルダーを取り外し可能に連結することを含む、請求項１１に記載の方法。
【請求項１３】
前記チャネルホルダーを前記ヘッドギアの別の部分に連結する工程が、前記チャネルホルダーを前記ヘッドギアの別の部分に留めることを含む、請求項１１又は１２に記載の方法。
【請求項１４】
前記チャネルが実質的に矩形の断面形状を有する、請求項１〜１３のいずれか一項に記載のアセンブリ又は方法。
【請求項１５】
前記開口が幅を含み、前記開口の前記幅がその長さに沿って変化する、請求項１〜１４のいずれか一項に記載のアセンブリ又は方法。
【請求項１６】
前記開口が第１端部及び第２端部を含み、前記開口の前記幅が前記第１端部及び前記第２端部の少なくとも一方に向かってテーパ状になっている、請求項１〜１５のいずれか一項に記載のアセンブリ又は方法。
【請求項１７】
前記開口が第１開口であり、前記ヘッドギアが前記チャネルの付近に位置付けられ、前記チャネルに対して開いている第２開口を含む、請求項１〜１６のいずれか一項に記載のアセンブリ又は方法。
【請求項１８】
前記第２開口が、前記第１開口から前記チャネルの反対側にある、請求項１７に記載のアセンブリ又は方法。
【請求項１９】
前記細長い部材が、コード及びランヤードの少なくとも一方の少なくとも一部を形成する、請求項１〜１８のいずれか一項に記載のアセンブリ又は方法。
【請求項２０】
前記開口が第１開口であり、前記ヘッドギアが前記チャネルの付近に位置付けられ、前記チャネルに対して開いている第２開口を更に含み、
前記細長い部材でループを形成する工程と、
前記細長い部材の前記ループを前記第１開口に、前記チャネルに、かつ前記第２開口の外側に通す工程と、を更に含む、請求項２〜１９のいずれか一項に記載の方法。
【請求項２１】
前記ループを前記第２開口の外側に保持する工程と、前記細長い部材を前記第１開口に通して前記細長い部材を前記チャネル内に取り付ける工程と、を更に含む、請求項２０に記載の方法。
【請求項２２】
前記第２開口が、前記第１開口から前記チャネルの反対側に位置付けられる、請求項２０又は２１に記載の方法。
【請求項２３】
ヘッドギア−イヤウェアアセンブリであって、前記アセンブリは、
アイシールドと、
前記アイシールドに連結されるつるであって、該つるは長さ及びその長さに実質的に沿って配置される長手方向を有する、つると、
長さ及びその長さに実質的に沿って配置される長手方向を有するコードと、
前記コードに連結されるイヤピースと、
前記つるの少なくとも一部によって画定されるチャネルであって、該チャネルは前記つるの前記長手方向に実質的に沿って配置され、前記チャネルは前記コードの前記長さの少なくとも一部を取り外し可能に収容するように適合されるチャネルと、
前記チャネルの付近に位置付けられ、前記チャネルに対して開いている開口であって、該開口はその長さに沿ってうねっている形状を有する開口とを含む、ヘッドギア−イヤウェアアセンブリ。
【請求項２４】
前記アイシールドが、ゴーグル、眼鏡（glasses）、眼鏡（spectacles）及びこれらの組み合わせの少なくとも１つから形成される、請求項２３に記載のアセンブリ。
【請求項２５】
前記イヤピースが耳栓を含む、請求項２３又は２４に記載のアセンブリ。
【発明の詳細な説明】
【技術分野】
【０００１】
本開示は一般的に、ヘッドギア−イヤウェア、及びヘッドギア−イヤウェアアセンブリを組み立てるための方法、並びに具体的にはイヤウェアとヘッドギアとの間の摺動自在な係合を可能にするヘッドギア−イヤウェアアセンブリ、より具体的には、ヘッドギア及びイヤウェアが所望されるまで互いに分離することを阻止される、ヘッドギア−イヤウェアアセンブリに関連する。
【背景技術】
【０００２】
いくつかの工業的又は建設環境において、労働者は、その頭部、顔面及び／又は目をくずから保護し、その耳を過剰な騒音レベルから保護するため、頭部、顔面、目及び／又は耳の保護装置を着用する。いくつかの場合において、ユーザーはその頭部、顔面及び／又は目、加えてその耳を全て同時に保護する必要がある。いくつかの場合において、ユーザーは、その頭部、顔面及び／又は目を被覆する装置を着用していることがあり、かつまた音の受信に関心を抱くことがある（例えば、通信装置、メディアプレイヤーなどを使用している間）。
【発明の概要】
【課題を解決するための手段】
【０００３】
本開示のいくつかの実施形態は、一緒に連結されるように構成されたイヤウェア及びヘッドギアを含み得る、ヘッドギア−イヤウェアアセンブリを提供する。イヤウェアは長さを有する細長い部材及び細長い部材に連結されるイヤピースを含み得る。ヘッドギアは、主表面及びヘッドギアの主表面に実質的に沿って配置されるチャネルを含み得る。チャネルは、細長い部材の長さの少なくとも一部を取り外し可能に収容するように構成され得る。ヘッドギアは、チャネルの付近に位置付けられ、チャネルに対して開いている開口を更に含み得る。開口は、その長さの少なくとも一部に沿ってうねっている形状を含み得る。
【０００４】
いくつかの実施形態において、本開示は、ヘッドギア−イヤウェアアセンブリを組み立てる方法を提供する。本方法は、イヤウェア及びヘッドギアを用意する工程を含み得る。イヤウェアは、長さを有する細長い部材及び細長い部材に連結されるイヤピースを含み得る。ヘッドギアは、ヘッドギアの主表面に実質的に沿って配置されるチャネルと、チャネルの付近に位置付けられ、チャネルに対して開いている開口を含み得る。開口は、その長さの少なくとも一部に沿ってうねっている形状を含み得る。本方法は、細長い部材の長さの少なくとも一部がチャネル内に取り外し可能に収容されるように、細長い部材の少なくとも一部をチャネル内に位置付ける工程を更に含み得る。
【０００５】
本開示のいくつかの実施形態は、アイシールド及びアイシールドに連結されるつるを含み得る、ヘッドギアイヤウェアアセンブリを提供する。つるは長さ及びその長さに実質的に沿って配置される長手方向を含み得る。アセンブリは、長さ及びその長さに実質的に沿って配置される長手方向を有するコードと、コードに連結されるイヤピースと、を更に含み得る。アセンブリは、つるの少なくとも一部によって画定されるチャネルを更に含み得る。チャネルは、つるの長手方向に実質的に沿って配置され得、チャネルはコードの長さの少なくとも一部を取り外し可能に収容するように適合され得る。アセンブリは、チャネルの付近に位置付けられ、チャネルに対して開いている開口を更に含み、開口はその長さの少なくとも一部に沿ってうねっている形状を含み得る。
【０００６】
本開示の他の特徴及び態様は、発明を実施するための形態及び付属の図面を考慮することによって明らかとなろう。
【図面の簡単な説明】
【０００７】
【図１】本開示の一実施形態によるヘッドギア−イヤウェアアセンブリの正面斜視図。ヘッドギア−イヤウェアアセンブリはユーザーの頭部上にあるものとして示されている。
【図２】図１のヘッドギア−イヤウェアアセンブリの拡大正面斜視図。
【図３】図２の３−３に沿って取った、図１及び図２のヘッドギア−イヤウェアアセンブリの側断面図。
【図３Ａ】本開示の別の実施形態による、ヘッドギア−イヤウェアアセンブリの側断面図。
【図４】本開示の別の実施形態によるヘッドギア−イヤウェアアセンブリの拡大正面斜視図。ヘッドギア−イヤウェアアセンブリはヘッドギア及びイヤウェアを含んでいる。
【図５】明確性のためにイヤウェアを取り除いた、図４のヘッドギア−イヤウェアアセンブリの背面分解図。
【図６】明確性のためにイヤウェアを取り除いた、図４及び図５のヘッドギア−イヤウェアアセンブリの正面図。
【図７】明確性のためにイヤウェアを取り除いた、図４〜６のヘッドギア−イヤウェアアセンブリの背面図。
【図８】図４の８−８に沿って取った、図４〜７のヘッドギア−イヤウェアアセンブリの側断面図。
【図８Ａ】本開示の別の実施形態による、ヘッドギア−イヤウェアアセンブリの断面図。
【図９】本開示の別の実施形態による、ヘッドギア−イヤウェアアセンブリの正面斜視図。
【図１０】本開示の別の実施形態による、ヘッドギア−イヤウェアアセンブリの正面斜視図。
【図１１】本開示の一実施形態により、ヘッドギア−イヤウェアアセンブリを組み立てるための方法。
【図１２】本開示の一実施形態により、ヘッドギア−イヤウェアアセンブリを組み立てるための方法。
【発明を実施するための形態】
【０００８】
本開示のいずれの実施形態が詳細に説明される前に、本発明は、以下の記述で説明される、又は以下の図面に図示される構成の詳細及び構成要素の配置の用途に限定されないことが理解される。本発明には他の実施形態が可能であり、本発明は様々な方法で実施又は実行することが可能である。また、本明細書で使用される専門語及び専門用語は、説明目的のためであり、限定するものと見なされるべきではないことが理解されるべきである。「含む（including）」、「備える（comprising）」、又は「有する（having）」、及びこれらの変形は、それらの後に列記される要素及びそれらの均等物、並びに更なる要素を包含することを意味するものである。特に指示されるか又は限定しないかぎり、「組み立てられた」及び「連結された」、並びにその変化形は広義の意味で使用され、直接及び間接的な組み立て及び連結の両方を含むものである。更に、「連結された」は、物理的又は機械的な連結に限定されない。その他の実施形態を利用することも可能であり、本開示の範囲から逸脱することなく構造的又は論理的な変更を行うことが可能である点は理解されるべきである。更に、「前」、「後」、「上」、「下」といった用語は、各要素の互いに対する関係を説明するためにのみ用いられるものであり、装置の特定の配置を説明すること、装置に必要とされる若しくは求められる向きを指示又は示唆すること、又は本明細書に記載される発明が、使用時にどのように使用、装着、表示、又は配置されるかを特定することを目的とするものでは決してない。
【０００９】
本開示は一般的に、ヘッドギア及びイヤウェアが一緒に連結されているときに互いに対して可動であり、かつ通常の動作条件において互いから分離することを阻止されるように、互いに取り外し可能に連結するように適合されるヘッドギア及びイヤウェアを含む、ヘッドギア−イヤウェアアセンブリに関連する。
【００１０】
用語「ヘッドギア」は一般的に、ユーザーの頭部、顔面、目及び／若しくは耳の少なくとも一部を被覆し、並びに／又はこれと連結するように適合されるいずれかの装置に言及するために使用される。これらの装置は、物理的物体（例えば、くず）、放射線（例えば、電磁放射線）、温度（例えば、高温又は低温）などからの保護の目的のためであり得る。ヘッドギアの例としては、１つ以上の眼鏡（eyeglasses）、サングラス、安全眼鏡、眼鏡（spectacles）、ゴーグル、フェースシールド、アイシールド、ヘルメット、ヘッドバンド、帽子、その一部又はこれらの組み合わせが挙げられるがこれらに限定されない。
【００１１】
用語「イヤウェア」は一般的に、その一部がユーザーの耳を被覆する、及び／又はこれと連結するように適合される、いずれかの装置に言及するために使用される。このような装置は、例えば、雑音環境における聴覚保護及び／若しくは保全の目的、並びに／又は例えば放射線（例：電磁放射線）、騒音、温度（例えば、高温又は低温）などからの他の種類の保護の目的のためであり得る。加えて又は別の方法として、このような装置は、通信装置（例えば、ヘッドセット、トランシーバー、電話器など）及び／又はメディアプレイヤー（例えば、ｍｐ３プレイヤー、ステレオ、ラジオなど）と共に使用され得るスピーカーなどの、音の受容及び／又は送達に使用され得る。イヤウェアは、コードなどの細長い部材を含む場合があり、１つ以上のイヤピースがこのコードに連結され得る。
【００１２】
用語「イヤピース」は一般的に、ユーザーの耳を被覆する、及び／又はこれと連結するように適合されるイヤウェアの部分に言及するために使用される。イヤピースの例としては、１つ以上の聴覚保護及び／又は保全装置（例えば、耳栓、耳覆い、イヤカップなど）、音送達装置（例えば、イヤホン、ヘッドホンなど）、その部分又はこれらの組み合わせが挙げられるが、これらに限定されない。いくつかの代表的な実施形態において、１つ以上のイヤピースとしては、受動的聴覚保護及び／又は保全装置、例えば受動的な耳栓が挙げられる。いくつかの代表的な実施形態において、１つ以上のイヤピースとしては、能動的雑音低減（ＡＮＲ）電子機器などの聴覚保護及び／又は保全装置が挙げられる。１つ以上の代表的なイヤピースとしては、耳栓及びＡＮＲ電子機器などの受動的聴覚保護の組み合わせが挙げられる。
【００１３】
イヤピースは、ユーザーの耳の一部の形状（例えば、エウスタキオ管、外耳、耳介、外耳道、耳珠、対珠、耳の他の部分又はこれらの組み合わせ）にぴったりと一致するように適合され得る。例えば、耳栓は、少なくとも部分的にユーザーの耳に挿入されるように（例えば、少なくとも部分的にユーザーの外耳道内に）構成され得る。イヤピースは、例えば、耐久性があり、圧縮可能で、弾力的であり、及び／又は変形可能である材料など、様々な材料から形成され得る。イヤピースを形成するために使用され得る材料の例としては、フォーム、ゴム、エラストマー、ポリマー、米国特許第ＲＥ  ２９，４８７号（Ｇａｒｄｎｅｒ，Ｊｒ．）、米国特許第４，７７４，９３８号（Ｌｅｉｇｈｔ）、同第４，１５８，０８７号（Ｗｏｏｄ）に開示される耳栓材料若しくはこれらの組み合わせ、他の好適な材料又はこれらの組み合わせが挙げられる。
【００１４】
表現「実質的に沿って」は一般的に、第１構造又は方向が第２構造に実質的に沿って又は第２方向と実質的に同じ方向に配置され得ること、及び／又は第１構造又は方向が第２構造又は方向と実質的に平行であり得ることを述べるために使用される。例えば、本開示全体を通じて、様々な構造が、表面に実質的に沿って配置されるものとして称される。これは、表面又はその一部にあるか、表面とほぼ並行であるものと解釈され得る。加えて、本開示全体を通じて、様々な構造又は方向が、別の第１方向に実質的に沿って配置されるものとして称される。これは、第１方向と同じ方向又は第１方向と実質的に平行に配置されるものとして解釈され得る。
【００１５】
いくつかの場合において、ユーザーはその頭部、顔面及び／若しくは目、加えてその耳を全て同時に被覆する又は保護する（若しくはその耳に音を送達する）必要があり得る。しかしながら、いくつかの既存の環境（例えば、工場設備）において、頭部、顔面及び／目保護装置は、互いに又はイヤウェアから離れて位置している。結果として、労働者は、所与の状況において２つ以上の装置が必要であり得る際に、１つの装置のみを着用しようとする場合がある。加えて、イヤウェアが使用中に落ち、それによってユーザーがイヤウェアを探している間又はユーザーが追加のイヤウェアを取り出す間に、耳保護及び／又は音送達を一時的に失う場合がある。本開示は、頭部、顔面及び／又は耳被覆装置の１つ以上をイヤウェア（例えば、耳保護装置及び／又は音送達装置）を単一の便利かつ使いやすいアセンブリへと組み立てる。しかしながら、このような装置の組み合わせを含むいくつかのアセンブリにおいてさえも、例えばヘッドギア及びイヤウェアが通常の使用条件において互いに容易に分離すること及び／又はヘッドギア及びイヤウェアが恒久的に又は半恒久的に一緒に連結され、それによってヘッドギア及びイヤウェアを分離させることがあまりに煩わしいか又はあまりに困難であることなど、潜在的な問題が存在し得る。本開示は一般的に、ヘッドギア及びイヤウェアが取り外し可能に連結され、かつ望ましくない分離を阻止されるヘッドギア−イヤウェアの組み合わせを含むアセンブリを対象とする。
【００１６】
図１〜３は、本開示の一実施形態により、ヘッドギア−イヤウェアアセンブリ１００を例示する。ヘッドギア−イヤウェアアセンブリ１００が、ユーザー１０の頭部１２上に位置付けられるものとして示される。ヘッドギア−イヤウェアアセンブリ１００は、ヘッドギア１０２及びイヤウェア１０４を含む場合があり、ヘッドギア１０２及びイヤウェア１０４は取り外し可能に一緒に連結されているものとして例示される。イヤウェア１０４は、細長い部材としてのコード１０６、及びコード１０６に、特にコード１０６の端部１０７に連結されるイヤピース１０８を含み得る。いくつかの実施形態において、イヤピース１０８は耳栓であり得るか、耳栓を含み得る。いくつかの実施形態において、コード１０６は第２イヤピースが連結され得る別の端部を含み得る。第２イヤピースは、コード１０６の端部１０７に連結されるイヤピース１０８と同じであるか又は異なる場合がある。
【００１７】
図１に示されるように、いくつかの実施形態において、コード１０６は、ランヤードであり得るか、その一部を形成し得るか、又はこれに連結され得る。このようなランヤードは、ヘッドギア−イヤウェアアセンブリ１００、又はその一部（例えば、ヘッドギア１０２）が使用されていないときに、ユーザーの首の周囲に吊るされるように適合され得る。このような場合において、ヘッドギア−イヤウェアアセンブリ１００又はその一部は、必要とされるまでユーザーの首から吊るされ得る。加えて、ランヤードは、例えば、ヘッドギア−イヤウェアアセンブリ１００又はその一部が使用されるときは、ユーザーの後ろに位置するか吊るされるように適合され得る。上記のように、イヤピース１０８は様々な実施形態及び構成を含む場合があり、イヤピース１０８は図１及び図２においては耳栓として、単に例として例示されている。
【００１８】
上記のように、ヘッドギア１０２は、様々な実施形態及び構成を含む場合があり、図１〜３に例示される実施形態においては、ヘッドギア１０２は単に例として眼鏡を含むものとして示されている。したがって、図１〜３に例示されるヘッドギア１０２はアイシールド１０９、及びユーザー１０の耳１４の上に位置するように適合される、アイシールド１０９に連結されるつる１１０を含む。ヘッドギア１０２は、ユーザー１０の頭部１２の反対側に位置付けられる第２つるを含むが、追加的なつるは単純性及び明確性のために示されていない。例示されるつる１１０に関するいずれかの説明を別のつるに適用することができ、又はもう一方のつるは異なる構成を有してもよいことが理解されるべきである。
【００１９】
図１に示されるように、ヘッドギア１０２は主表面１１２を含み得る。図１〜３に例示される実施形態において、主表面１１２は例えば、ヘッドギア１０２がユーザー１０の頭部１２に連結される際に外側に面するものとして示される。主表面１１２はヘッドギア１０２の外側に面する部分を構成する全表面を含み得る。
【００２０】
図１〜３に示されるように、ヘッドギア１０２又はその部分、例えばつる１１０は、コード１０６の長さの少なくとも一部を取り外し可能に収容するように適合されるチャネル１２０を更に含み得る。図１及び図２に示されるように、チャネル１２０は、ヘッドギア１０２に連結されるコード１０６の長さの部分に対応する長さを有し得る。図１及び図２に示されるように、チャネル１２０はヘッドギア１０２の主表面１１２に実質的に沿って配置され得る。加えて、図２に示されるように、チャネル１２０は、つる１１０の長手方向Ｄ１に実質的に沿って（すなわち、つるがアイシールド１０９から後方に延びる方向に沿って）配置され得る。換言すると、チャネル１２０は、その長さに実質的に沿って配置される長手方向Ｄ２を有する場合があり、チャネル１２０の長手方向Ｄ２は、つる１１０の長手方向Ｄ１に実質的に沿って配置され得る。
【００２１】
図２及び図３に示されるように、ヘッドギア１０２は、チャネル１２０の付近に位置付けられ、チャネル１２０に対して開いている（すなわち、これと連通する）開口１２２を更に含み得る。単に例として、開口１２２及びチャネル１２０は外側に向くものとして例示されているが、これは、例えばヘッドギア−イヤウェアアセンブリ１００がユーザー１０上に位置付けられる間に、ヘッドギア１０２及びイヤウェア１０４の連結及び分離を促進し得る。しかしながら、他の構成が可能であり、本開示の趣旨及び範囲内である。
【００２２】
いくつかの実施形態において、図１〜３に示されるように、開口１２２はまた、ヘッドギア１０２に連結されるコード１０６の長さの部分に対応する長さを有し得る。加えて、開口１２２は、ヘッドギア１０２の主表面１１２に実質的に沿って配置され得る。更に、チャネル１２０と同様に、開口１２２はつる１１０の長手方向Ｄ１に実質的に沿って配置され得る。換言すれば、開口１２２はその長さに実質的に沿って配置される長手方向（明確性のために図示されない）を有する場合があり、開口１２２の長手方向は、チャネル１２０の長手方向Ｄ２及びつる１１０の長手方向Ｄ１の１つ以上に実質的に沿って配置され得る。
【００２３】
更に、コード１０６は長さを有し、その長さの一部が、例えばヘッドギア１０２及びイヤウェア１０４が互いに連結されるときに、チャネル１２０内に位置付けられ得る。コード１０６はその長さに沿って長手方向を有し、コード１０６がそのチャネル１２０（及び／又は開口１２２）内に位置付けられるとき、コード１０６の長手方向はチャネル１２０の長手方向Ｄ２に実質的に沿って（及び／又は開口１２２の長手方向に実質的に沿って）及び／又はつる１１０の長手方向Ｄ１に実質的に沿って配置され得る。当然、コード１０６がチャネル１２０（及び／又は開口１２２）の長手方向Ｄ２に実質的に沿って配置されるとき、コード１０６は完全に真っ直ぐである必要はない。むしろ、コード１０６は、少なくとも部分的にコード１０６の材料構成によって、チャネル１２０に対して僅かな波形又はうねりを含み得る。
【００２４】
コード１０６は、布地、ポリマー（例えば、ＰＶＣ、再利用ＰＶＣ、ポリカーボネート、ナイロン、アクリロニトリルブタジエンスチレン（ＡＢＳ）、他の好適なポリマー又はこれらの組み合わせ）、熱可塑性エラストマー（例えば、スチレンブロックコポリマー、天然ゴム、人工ゴム、他の好適な熱可塑性エラストマー若しくはこれらの組み合わせ）、他の好適なコード材料又はこれらの組み合わせが挙げられるがこれらに限定されない、様々な材料によって形成され得る。加えて、コード１０６は任意の所望の形状（例えば、断面形状）又は大きさを有することができ、これらはヘッドギア−イヤウェアアセンブリ１００の所望の用途又は使用によって決定され得る。
【００２５】
開口１２２は、コード１０６のための、チャネル１２０への入口として機能し得る。図２及び図３に示されるように、いくつかの実施形態において、開口１２２は、チャネル１２０の幅１２８よりも小さく及び／又はコード１０６の幅（明確性のために図示されない）よりも小さい幅１２６を有し得る。図２及び図３に示されるように、用語「幅」は、開口１２２、チャネル１２０又はコード１０６それぞれの長手方向にほぼ垂直に配置される横方向寸法に言及するために使用される。例えば、いくつかの実施形態において、コード１０６は実質的に丸い又は円形の断面形状を有し、コード１０６の幅又は横方向寸法はコード１０６の直径であり得る。いくつかの実施形態において、コード１０６は圧縮可能な材料から形成され、開口１２２は、開口１２２の幅１２６がコード１０６の圧縮不可能な、不変の又は元々の幅若しくは横方向の寸法より小さくなるように構成され得る。
【００２６】
より狭い開口１２２（すなわち、チャネル１２０及びコード１０６の１つ以上よりも狭い）は、コード１０６のチャネル１２０からの事故的な又は望ましくない脱出を阻止し得る。加えて、このような実施形態において、コード１０６は、開口部に隣接するコード１０６を開口１２２に位置付け、コード１０６の長さの少なくとも一部を開口１２２に、その後更にチャネル１２０内に押し込むことによって、チャネル１２０内に位置付けられ得る。このコード位置は図２及び図３内に例示される。コード１０６をチャネル１２０内に位置付けるための方法はまた、コード１０６をその長さに沿って伸張させる工程を含み得る（例えば、コード１０６が少なくとも若干弾性又はエラストマーの材料から形成され、コード１０６の長さが増加する際にコード１０６の幅／厚さが低減し得る場合）。
【００２７】
図１〜３に示されるように、いくつかの実施形態において、開口１２２はヘッドギア１０２（例えば、つる１１０の）の前壁１４６内に形成されるか、これによって画定され得る。単に例として、図２及び図３に示されるように、前壁１４６は共に開口１２２を画定する上部１４８及び下部１５０を含む。図３に示されるように、上部１４８及び下部１５０は開口がその長さに沿って実質的に真っ直ぐであるように開口部１２２を画定する。すなわち、上部１４８及び下部１５０はそれぞれ、上方表面（又は壁）１４７及び下方表面１４９を含み、これらはそれぞれ、開口１２２を少なくとも部分的に画定する。上方壁１４７及び下方壁１４９はそれぞれ、その対応する長さに沿って実質的に真っ直ぐであり得る。いくつかの実施形態において、上方壁１４７及び下方壁１４９は平坦であるか、丸いか、ないしは別の形状であり、結果上方壁１４７及び下方壁１４９は開口１２２の深さ方向において完全に平坦である必要はない。いくつかの実施形態において、上方壁１４７及び下方壁１４９は一般的に均一な断面形状を有し、それによって開口１２２はその長さに沿って実質的に真っ直ぐであり及び／又は均一である。
【００２８】
図３に示されるように、いくつかの実施形態において、上方壁１４７及び下方壁１４９は平行であり得るが、いくつかの実施形態において、上方壁１４７及び下方壁１４９はこれらが平行であるように配置され得る。例えば、いくつかの実施形態において、開口１２２は、チャネル１２０の方に向かい、又は反対方向に向かい、その長さに沿ってテーパ形状であり得る。例えば、いくつかの実施形態において、上方壁１４７はチャネル１２０により近い位置において（すなわち、図３の左側に向かって）下方壁１４９からより近い距離に位置付けられる場合があり、チャネル１２０から遠い位置において（すなわち、図３の右側に向かって）下方壁１４９からより遠い距離に位置付けられる場合があり、若しくはその逆であるか、又はこれらの組み合わせである。開口１２２がその深さに沿って（すなわち、チャネル１２０の方に向かい、又は反対方向に向かい）平坦であっても、又はその深さに沿って内側若しくは外側にテーパ状であっても、上部１４８及び下部１５０は開口１２２の長さに沿って開口１２２の真っ直ぐな外形を画定し得る。
【００２９】
コード１０６が開口１２２又はチャネル１２０内に位置付けられた後、コード１０６はヘッドギア１０２に対して、及び特にチャネル１２０（及び／又は開口１２２）に対して摺動自在であり得る。特に、コード１０６は、コード１０６がチャネル１２０内に位置付けられる間、及びヘッドギア１０２及びイヤウェア１０４が互いに連結される間、チャネル１２０と摺動自在に係合し得る。図１〜３に例示される実施形態において、少なくとも部分的には、コード１０６の幅及び／又はチャネル１２０の幅１２８よりも小さい幅１２６を有する開口１２２のために、コード１０６は、コード１０６が所望されるまでチャネル１２０から脱出することなく、チャネル１２０に対して可動であり得る。例えば、いくつかの実施形態において、ヘッドギアアセンブリ１００は、ユーザー１０がその頭部１２をあらゆる向きに向けることができ、及び／又はコード１０６ヘッドギア１０２に対して移動し得る（例えば、摺動する）ように、コード１０６が重力などの過剰な受動的外力によって若しくはコード１０６のチャネル１２０内における垂直方向の移動によりチャネル１２０から取り外されるように、構成され得る。
【００３０】
いくつかの実施形態において、ユーザー１０はヘッドギア−イヤウェアアセンブリ１００をその頭部に位置付けることができ、その後イヤウェア１０４（例えば、イヤピース１０８）を前方に（すなわち、アイシールド１０９に向かって前方に）、ユーザー１０がコード１０６の所望の長さを達成するまで引き、イヤピース１０８がその耳１４内に位置付けられ得る。別の方法として、ユーザーの耳１４の上に出ているコード１０６の弛みの程度を低減するため（例えば、イヤピース１０８が使用されているとき又は使用されていないとき）、ユーザー１０はコード１０６の後側部分をアイシールド１０９と反対の方向（すなわち、後方）に引くことができる。例えば、イヤピース１０８が使用されていないとき、コード１０６は、イヤピース１０８が図２に示される位置に到達するまで後方に摺動され得、それによってイヤピース１０８は過度にぶらつかず又はユーザー１０の注意を逸らすか若しくはユーザー１０にとって不快であることがない。
【００３１】
図１〜３に例示される実施形態において、コード１０６がチャネル１２０から開口１２２へと動かされ、コード１０６を開口１２２から、かつヘッドギア１０２との連結から解放するために十分な力が適用されるまで、コード１０６を開口１２２の方向に引くことにより、コード１０６はヘッドギア１０２との係合から、及び特にチャネル１２０との係合から取り外され得る。コード１０６の取り外しはまた、コード１０６をその長手方向に沿って伸張させること、並びに／又はコード１０６をチャネル１２０及び／若しくは開口１２２に対して摺動させることを含み得る。
【００３２】
図１〜３に例示される実施形態において、チャネル１２０の幅１２８及び形状、並びに開口１２２の幅１２６及び形状はその対応する長さに沿って比較的均一であるものとして示されているが、いくつかの実施形態において、チャネル１２０の幅１２８及び／又は形状はその長さに沿って変化し得ることが理解されるべきである。同様に、いくつかの実施形態において、開口１２２の幅１２６及び／又は形状は、その長さに沿って変化してもよく、その一例が以下により詳細に記載され、図４〜８に例示される。
【００３３】
その上、チャネル１２０は実質的に円形の断面形状を有するものとして図３に例示されるが、これはコード１０６の外側寸法と少なくとも幾分対応するように適合される（例えば、コード１０６が実質的に円形の断面形状を有するとき）。しかしながら、いくつかの実施形態において、チャネル１２０は任意の所望の断面形状を有することができ、コード１０６の断面形状と対応する必要がないことが理解されるべきである。更に、いくつかの実施形態において、チャネル１２０の内側表面とコード１０６の外側表面との間には、図３に例示されたものより大きな間隔が存在し得る。同様に、開口部１２２は断面が実質的に矩形であるものとして示され、かつ開口１２２の幅１２６はコード１０６の幅（例えば、直径）より僅かに大きさが小さく、それによってコード１０６が開口１２２を通じて圧迫されてチャネル１２０内に位置付けられ得、通常の使用中、所望されるまで開口１２２からの脱出を阻止され得る。しかしながら、開口１２２の任意の断面形状が利用され得、本開示は断面が矩形である開口１２２に限定されないことが理解されるべきである。加えて、コード１０６の幅の開口１２２の幅１２６に対する比率、コード１０６の幅のチャネル１２０の幅１２８に対する比率、及び開口１２２の幅１２６のチャネル１２０の幅１２８に対する比率は、単に例として示され、様々な比率が利用され得る。しかしながら、開口１２２の幅１２６がコード１０６の幅よりも少なくとも僅かに小さい場合に特定の有用性が達成され得る。
【００３４】
更に、図１〜３に例示される実施形態において、チャネル１２０及び開口１２２は、ヘッドギア１０２の少なくとも一部によって画定され得る。しかしながら、いくつかの実施形態において、チャネル１２０及び／又は開口１２２は別の要素又は装置（例えば、チャネルホルダー）内に形成され得、これがその後ヘッドギア１０２の一部に連結される。このような実施形態の例は以下でより詳細に記載され、図９及び図１０に例示される。このような実施形態において、チャネル１２０及び／又は開口部１２２は、依然としてヘッドギア１０２の少なくとも一部内に形成される又はこれによって画定されると称され得るが、いくつかの実施形態においては、チャネル１２０及び／又は開口１２２はヘッドギア１０２の別の構成要素に連結される１つの構成要素内に形成されるか又はこれによって画定され得る。
【００３５】
図１〜３に示されるように、いくつかの実施形態において、ヘッドギア１０２又はその一部は取り扱いを促進する及び／又はヘッドギア１０２とイヤウェア１０４を一緒に連結することを促進するような形状であり得る。例えば、いくつかの実施形態において、つる１１０は、つる１１０の取り扱い並びにコード１０６のチャネル１２０及び／又は開口１２２への挿入を促進するような形状であり得る。図１〜３に示されるように、いくつかの実施形態において、図１〜３に例示されるヘッドギア１０２又はその一部、つる１１０は、湾曲した外側部分１３２及びテーパ状端部１３４を含み得る。そのような湾曲した外側部分１３２は把持領域を形成することができ、コード１０６をチャネル１２０（及び／又は開口１２２）内に挿入する及び／又はコード１０６をそこから取り出す間の、つる１１０の取り扱いを促進し得る。このようなテーパ状端部１３４は、コード１０６を開口１２２を通じチャネル１２０内へと推進するように促進することができ、またつる１１０の所望の機能及び審美性を維持することができる。更に他の構成が可能であり、本開示の趣旨及び範囲内である。
【００３６】
更に、図１〜３に示されるように、いくつかの実施形態において、ヘッドギア１０２又はその一部、例えばつる１１０は２つ以上の構成要素及び／又は材料から形成され得る。例えば、図１〜３に示されるいくつかの実施形態において、つる１１０の長さに沿った少なくとも一部分において、つる１１０は前部１５２及び後部１５４を含む場合があり、各前部１５２及び第２部分１５４は同じ又は異なる材料で形成され得る。いくつかの実施形態において、第１部分１５２はコード１０６の容易な挿入及び取り外しを可能にするために十分な剛性及び／又は平滑な質感を有し得る。いくつかの実施形態において、第２部分１５４は、つる１１０又は少なくともチャネル１２０に隣接するつる１１０の一部が、例えばコード１０６の挿入及び取り外しの間の取り扱いを促進するように適合され得るために十分に柔軟であり及び／又は弾力的であり得る。このような多部分つる１１０は、様々な好適な製造プロセスによって形成され得る。例えば、いくつかの実施形態において、第２部分１５４は第１部分１５２上にオーバーモールドされ得、第１部分１５２及び第２部分１５４は、例えばこれらが化学的に一緒に結合されるように、化学的に適合する材料によって形成され得る。例えば例示されるつる１１０などの、多部分又は他材料要素の利用はまた、各部分１５２又は１５４が異なる色、質感、不透明性などを含み得るために、ヘッドギア−イヤウェアアセンブリ１００の審美性を向上し得る。
【００３７】
図１〜３に示されるつる１１０などの、眼鏡のつるの少なくとも一部によってチャネル１２０（及び任意により開口１２２）が画定される実施形態において、つる１１０は前側部分又は端部１３６（図１に示される）及び後側部分又は端部１３８（図１及び図２に示される）を含む場合があり、チャネル１２０（及び任意により開口１２２）は後側部分１３８内に形成され得る。
【００３８】
図１及び図２に図示されるように、いくつかの実施形態において、イヤウェア１０４及びヘッドギア１０２が一緒に連結される際に、イヤピース１０８がチャネル１２０の前側に位置付けられるように、イヤウェア１０４がヘッドギア１０２に連結され得る。このような構成は、特に眼鏡が顔面及び耳から取り外され、ユーザー１０の首の周囲に吊るしておく際に、コード１０６のチャネル１２０内での摺動を促進し得る（例えば、コード１０６がランヤードである、その一部を形成する又はそれに連結される場合）。しかしながら、イヤウェア１０４及びヘッドギア１０２が一緒に連結される際に、イヤピース１０８がチャネル１２０の後側に位置付けられるように、反対の構成もまた使用され得ることが理解されるべきである。
【００３９】
コード１０６のヘッドギア１０２への挿入を可能にする及びその脱出を阻止する手段が、チャネル１２０及び開口１２２として上記に記載されている。しかしながら、いくつかの実施形態においてコード１０６を取り外し可能に収容するように適合されるヘッドギア１０２の全開放部分（例えば、チャネル１２０及び開口１２２として先に記載されたもの）は、チャネル１２０と称される場合があり、チャネル１２０は単に深さに関して変化する幅を有するものとして記載され得る。例えば、このようなチャネル１２０の幅は、その開口部においてより狭い場合があり、幅はその開放端部からその閉鎖端部にかけて増加し得る（例えば、図３において示されるように１つの位置において別個に、又は連続的に）（例えば、深さの増加に伴って幅が増加し得る）。あるいは、開口部１２２は単純に、チャネル１２０の後側部分よりも狭い幅を有するチャネル１２０の前側部分と称され得る。
【００４０】
しかしながら、いくつかの実施形態において、チャネル１２０の幅１２８はチャネルの深さと共に変化せず、このような実施形態はヘッドギア−イヤウェアアセンブリ１００Ａとして図３Ａに例示される。ヘッドギア−イヤウェアアセンブリ１００Ａが断面図で示され、つる１１０Ａを含むヘッドギア１０２Ａ及びコード１０６Ａを含むイヤウェア１０４Ａを含む。ヘッドギア１０２Ａはチャネル１２０Ａを更に含む。単に例として、つる１１０Ａは１つの構成要素又は材料で形成されるものとして示される。
【００４１】
図３Ａに示されるように、チャネル１２０Ａは、例えば、その幅に沿って及び任意によりその長さに沿って、実質的に一定の幅１２８Ａを有し得る。いくつかの実施形態において、コード１０６及びチャネル１２０Ａは、コード１０６Ａをチャネル１２０Ａの中に、これが取り外されることを所望されるまで保持するような大きさであり得る。例えば、図３Ａに示されるように、チャネル１２０Ａは、図３に示されるチャネル１２０及び開口１２２を組み合わせたものと同じ全体深さを有する。単に例として、チャネル１２０Ａの深さはコード１０６Ａの幅（例えば、直径）よりも大きく、それによってコード１０６Ａがチャネル１２０Ａ内に位置する際にチャネル１２０Ａへと開口部から十分に離れて位置付けられるよう、コード１０６Ａのための十分な空間が存在し、その結果コード１０６Ａはチャネル１２０Ａから容易に落ちない。このような実施形態において、コード１０６Ａ及びチャネル１２０Ａはまた、コード１０６Ａ及びチャネル１２０Ａの摩擦（摺動自在な）係合を可能にするために、コード１０６Ａの外側表面とチャネル１２０Ａの内側表面との間に十分な干渉が存在するような、大きさを互いに対して有してもよい。このような摩擦係合は依然としてコード１０６Ａとチャネル１２０Ａとの間の相対運動（例えば、摺動）を可能にし得るが、またコード１０６のチャネル１２０Ａからの取り外しを所望されるまで阻止し得る。コード１０６は、コード１０６とチャネル１２０Ａとの間の摩擦力を克服するために十分な力を提供することによって、チャネル１２０Ａから取り外され得る。
【００４２】
図４〜８は本開示の別の実施形態によるヘッドギア−イヤウェアアセンブリ２００を図示し、類似の数字は類似の要素を表す。ヘッドギア−イヤウェアアセンブリ２００は、図１〜３に図示された実施形態に関連して上述したものと同一の多くの要素及び特徴を共有する。したがって、図１〜３の図示された実施形態の要素及び特徴部に対応する要素及び特徴部は、２００番台において同じ参照番号が提供される。図４〜図８に図示される実施形態の特徴部及び要素（並びに特徴部及び要素の代替）をより完全に説明するために、図１〜図３に関してなされた上記説明を参照する。
【００４３】
ヘッドギア−イヤウェアアセンブリ２００は取り外し可能に一緒に連結されたヘッドギア２０２及びイヤウェア２０４を含み得る。イヤウェア２０４は、コード２０６、及びコード２０６に連結されたイヤピース２０８を含み得る。ヘッドギア２０２は単に例として、眼鏡であり、つる２１０を含むものとして例示され、イヤピース２０８は単に例として、耳栓として例示される。イヤウェア２０４は明確性のために図５〜７から取り除かれている。
【００４４】
ヘッドギア２０２は主表面２１２を含み得る。図４〜８に例示される実施形態において、主表面２１２は、例えば、ヘッドギア２０２がユーザーの頭部に連結される際に、外側に面するものとして示される。主表面２１２は、ヘッドギア２０２の外側に面する部分を構成する全表面を含み得る。
【００４５】
図４〜８に示されるように、ヘッドギア２０２又はその部分、例えばつる２１０はコード２０６の長さの少なくとも一部を取り外し可能に収容するように適合されたチャネル２２０を更に含み得る。図４に示されるように、チャネル２２０は、ヘッドギア２０２に連結されるコード２０６の長さの部分と対応する長さを有し得る。図４に示されるように、チャネル２２０はヘッドギア２０２の主表面２１２に実質的に沿って配置され得る。加えて、図４に示されるように、チャネル２２０は、つる２１０の長手方向Ｄ１’に実質的に沿って配置され得る。換言すると、チャネル２２０はその長さに沿って配置される長手方向Ｄ２’を有する場合があり、チャネル２２０の長手方向Ｄ２’はつる２１０の長手方向Ｄ１’に実質的に沿って配置され得る。
【００４６】
図４〜８に示されるように、ヘッドギア２０２は、チャネル２２０の付近に位置付けられ、チャネル２２０に対して開いている（又はこれと連通する）開口２２２を更に含み得る。単に例として、開口２２２及びチャネル２２０は外側に向くものとして例示されているが、これは、例えばヘッドギア−イヤウェアアセンブリ２００がユーザー上に位置付けられる間に、ヘッドギア２０２及びイヤウェア２０４の連結及び分離を促進し得る。しかしながら、他の構成が可能であり、本開示の趣旨及び範囲内である。
【００４７】
いくつかの実施形態において、図４〜８に示されるように、開口２２２はまた、ヘッドギア２０２に連結されるコード２０６の長さの少なくとも一部に対応する長さを有し得る。加えて、開口２２２は、ヘッドギア２０２の主表面２１２に実質的に沿って配置され得る。更に、チャネル２２０と同様に、開口２２２はつる２１０の長手方向Ｄ１’に実質的に沿って配置され得る。換言すれば、開口２２２はその長さに実質的に沿って配置される全体長手方向（明確性のために図示されない）を有する場合があり、開口２２２の全体長手方向は、チャネル２２０の長手方向Ｄ２’及びつる２１０の長手方向Ｄ１’の１つ以上に実質的に沿って配置され得る。
【００４８】
図１〜３に例示される実施形態とは異なり、図４〜８に例示される開口２２２は波形であるか、うねっているか又は蛇行している。開口２２２は波形であるか、うねっているか若しくは蛇行している外形を含むか、又はこれによって画定され得、１つ以上のうねり又は突起部２２３（及び／又はそれに応じて陥没部若しくは谷部）を更に含むか、又はこれによって画定され得る。しかしながら、開口２２２は依然として一般的に、ヘッドギア２０２の主表面２１２に沿って配置され、開口２２２は依然としてチャネル２２０の長手方向Ｄ２’及びつる２１０の長手方向Ｄ１’の１つ以上の実質的に沿って配置された一般的な長手方向を有する。
【００４９】
このような、うねっている又は蛇行している開口２２２はコード２０６のチャネル２２０内への比較的容易な挿入を可能にし、また通常使用中におけるコード２０６のチャネル２２０からの脱出を阻止し得る。開口２２２のうねっている形状が図４〜８に単に例として示されるが、任意の好適な蛇行している（例えば、うねっている）形状（例えば、正弦波、方形波、複数の突起部２２３ではなく１つの突起部２２３のみにより形成される波形、他の好適な波形形状又はこれらの組み合わせ）が本開示の趣旨及び範囲内で利用され得ることが理解されるべきである。結果として、任意の好適な形状の突起部２２３が、所望の開口形状を形成するように利用され得る。
【００５０】
加えて、開口２２２が２つ以上の突起部２２３によって画定されるいくつかの実施形態において、開口２２２は規則的及び／又は均一の突起部２２３を含み得る。しかしながら、いくつかの実施形態において、突起部２２３は全て同じ形状又は大きさを有する必要はなく、むしろ不規則、ランダム及び／又は不均等であり得る。その上、開口２２２が１つ以上の突起部２２３によって画定されていても、そうでなくても、開口２２２の「うねっている形状」は、これがもう一方の方向においてうねるのと同様にうねる必要はなく、用語「うねっている」は均一な波形形状に限定されるべきではない。
【００５１】
図４に示されるように、例えばヘッドギア−イヤウェアアセンブリ２００の実施形態において、コード２０６がチャネル２２０内に位置付けられる場合に、コード２０６がつる２１０の前壁２４６の後ろに位置付けられる場合があり、開口２２２は前壁２４６内に形成され得るか、これによって画定され得る。例えば、図４及び図６に示されるように、前壁２４６は上部２４８及び下部２５０を含み、これらが共に蛇行する開口２２２（及びこれに応じて突起部２２３）を画定する。しかしながら、いくつかの実施形態において、上部２４８及び下部２５０の一方のみが１つ以上の突起部２２３を含む。結果として、いくつかの実施形態において、開口２２２はうねっている上方表面又は下方表面及び実質的に平坦な上方表面又は下方表面を含む（又はこれによって画定される）場合がある。すなわち、図４〜８に例示される実施形態において、上部２４８及び下部２５０の両方が開口２２２のうねっている外形に寄与するが、これが妥当する必要性はない。換言すれば、いくつかの実施形態において、上部２４８及び下部２５０の一方又は両方が１つ以上の突起部２２３を含み得る。上部２４８及び下部２５０の両方が突起部２２３を含むいくつかの実施形態において、上部２４８によって形成される突起部２２３は、下部２４８の陥没部又は逆の突起部２２３と協調するか、又はその逆であり得る。すなわち、いくつかの実施形態において、上部２４８によって形成される突起部２３３は、下部２５０の陥没部又は谷部（又は隣接する突起部２２３の間の空間）と対応する場合があり、それによって上部２４８によって形成される突起部２２３は、下部２５０によって形成される突起部とずれている場合がある。
【００５２】
いくつかの実施形態において、開口２２２の突起部２２３は、図４〜８の実施形態に示されるものよりも、極端である。すなわち、いくつかの実施形態において開口２２２はつる２２０の幅にわたって更に揺動し、隣接する突起部２２３の間の角度は図４〜８に示されるものよりも小さい。しかしながら、いくつかの実施形態において開口２２２（及びその長手方向又は長さ）は依然として、ヘッドギア２０２の主表面２１２に沿って、つる２１０の長手方向Ｄ１’に沿って、及び／又はチャネル２２０の長手方向Ｄ２’に沿って延びるものと考えることができる。
【００５３】
加えて、いくつかの実施形態において、開口２２２は図４〜８に示されるものよりも少ない又は多い突起部２２３を含み得る。単に例として、図４〜８に示される開口２２２は約２．５個の突起部２２３を含む。しかしながら、より少ない又はより多い突起部２２３が利用され得ること、及びより多くの突起部２２３がコード２０６のチャネル２２０への挿入をより困難にし得るが、使用中のコード２０６の保持を改善し得ることが理解されるべきである。あるいは、より少ない突起部２２３はコード２０６のチャネル２２０への挿入を促進し得るが、ヘッドギア１０２のコード２０６を保持する能力を低減し得る。
【００５４】
更に、コード２０６は長さを有し、その長さの一部が、例えばヘッドギア２０２及びイヤウェア２０４が互いに連結されるときに、チャネル２２０内に位置付けられ得る。コード２０６はヘッドギア２０２に連結されるその長さに沿って長手方向を有し、コード２０６がチャネル２２０（及び／又は開口２２２）内に位置付けられるとき、コード２０６の長手方向はチャネル２２０の長手方向Ｄ２’に実質的に沿って（及び／又は開口２２２の長手方向に実質的に沿って）配置され得る。当然、コード２０６がチャネル２２０内に（例えば、つる２１０の前壁２４６の後ろに）に位置付けられ、チャネル２２０の（及び／又は開口２２２の）長手方向Ｄ２’に実質的に沿って配置される場合、コード２０６は完全に真っ直ぐである必要はない。むしろ、コード２０６は、少なくとも部分的にコード２０６の材料構成によって、チャネル２２０に対して、僅かな波形又はうねりをそれ自体が含み得る。
【００５５】
図１〜３に関して上記に記載された開口１２２と同様に、開口２２２はコード２０６のための、チャネル２２０への入口として機能し得る。コード２０６のチャネル２２０への挿入のための１つの代表的な方法は、以下でより詳細に記載され、図１１及び図１２に例示される。
【００５６】
図６及び図８に示されるように、一実施形態において、開口２２２は幅２２６を有する場合があり、幅２２６の少なくとも一部がチャネル２２０の幅２２８よりも小さい場合がある。加えて、幅２２６の少なくとも一部がコード２０６の幅（例えば、直径）よりも小さい場合がある。開口２２２の幅２２６の少なくとも一部とコード２０６の幅（例えば、直径）との間のこのような比率は使用中におけるチャネル２２０内のコード２０６の保持を向上させる場合があり、かつコード２０６のチャネル２２０からの事故的な又は望ましくない脱出を更に阻止する場合がある。
【００５７】
いくつかの実施形態において、図６に示されるように、開口２２２の幅２２６は開口２２２の長さに沿って変化し得る。例えば、いくつかの実施形態において、開口２２２の幅２２６は開口２２２の端部に向かって最も狭くなり、開口２２２の中央に向かって最も広くなる場合がある。単に比較として、図６に示されるように、開口２２６は開口２２２の端部に向かって第１のより狭い幅２２６Ａ及び開口２２２の長さ方向中央に向かってより広い幅２２６Ｂを含み得る。変化する幅２２６（例えば、幅２２６Ａ及び２２６Ｂ）は、コード２０６のチャネル２２０（及び／又は開口２２２）内への挿入を促進する一方で、コード２０６のチャネル２２０（及び／又は開口２２２）からの脱出を阻止するように機能し得る。変化する幅２２６が単に例として示されるが、様々な開口幅構成がコード２０６の挿入の促進及び脱出の阻止のために利用され得ることが理解されるべきである。加えて又は別の方法として、いくつかの実施形態において開口２２２の幅２２６は、開口２２２の深さに沿って変化し得る。
【００５８】
コード２０６が開口２２２又はチャネル２２０内に位置付けられた後、コード２０６はヘッドギア２０２に対して、及び特にチャネル２２０（及び／又は２２２）に対して摺動自在であり得る。特に、コード２０６は、コード２０６がチャネル２２０内に位置付けられる間、及びヘッドギア２０２及びイヤウェア２０４が互いに連結される間、チャネル２２０と摺動自在に係合し得る。図４〜８に例示される実施形態において、少なくとも部分的には、チャネル２２０の幅２２８（コード２０６の幅）よりも小さい幅２２６を有する開口２２２のために、コード２０６は、コード２０６が所望されるまでチャネル２２０から脱出することなく、チャネル２２０に対して可動であり得る。
【００５９】
図１〜３に例示される実施形態と同様に、コード２０６がチャネル２２０から開口２２２へと移動され、コード２０６を開口２２２から、かつヘッドギア２０２との連結から解放するために十分な力が適用されるまで、コード２０６を開口２２２の方向に引く（及び任意によりコード２０６を開口２２２の外へと戻し、開口２２２を画定又は形成する突起部２２３を超えるように通す）ことにより、コード２０６がヘッドギア２０２との係合から及び特に、チャネル２２０との係合から取り外され得る。コード２０６の取り外しはまた、コード２０６をその長手方向に沿って伸張させること、並びに／又はコード２０６をチャネル２２０及び／若しくは開口２２２に対して摺動させることを含み得る。コード２０６をヘッドギア２０２との連結から取り外すために、いくつかの実施形態において、コード２０６を一端のみから引くことができ、いくつかの実施形態において、コード２０６両端から引くことができる。
【００６０】
図４〜８に例示される実施形態において、チャネル２２０は断面がほぼ楕円であるものとして例示され（図８参照）、チャネル２２０の幅２２８及び形状はその長さに沿って比較的均一であるものとして示される。しかしながら、チャネル２２０は任意の断面形状を含むことができ、いくつかの実施形態において、チャネル２２０の幅２２８及び／又は形状はその長さに沿って変化し得ることが理解されるべきである。
【００６１】
図１〜３に例示される実施形態と同様に、ヘッドギア２０２又はその部分は取り扱いを促進する及び／又はヘッドギア２０２とイヤウェア２０４を一緒に連結することを促進するような形状であり得る。例えば、いくつかの実施形態において、つる２１０は、つる２１０の取り扱い、並びにコード２０６のチャネル２２０及び／又は開口２２２への挿入を促進するような形状であり得る。図４〜８に示されるように、いくつかの実施形態において、ヘッドギア２０２又はその一部、例えばつる２１０は、湾曲した外側部分２３２及びテーパ状端部２３４を含み得る（図５〜７参照）。そのような湾曲した外側部分２３２は把持領域を形成することができ、コード２０６をチャネル２２０（及び／又は開口２２２）内に挿入する及び／又はコード２０６をそこから取り出す間の、つる２１０の取り扱いを促進し得る。このようなテーパ状端部２３４は、コード２０６を開口２２２を通じてチャネル２２０内へと推進するように促進し得る。更に他の構成が可能であり、本開示の趣旨及び範囲内である。
【００６２】
更に、図４〜８に示されるように、いくつかの実施形態において、ヘッドギア２０２又はその一部、例えばつる２１０は２つ以上の構成要素及び／又は材料から形成され得る。例えば、図４〜８に示されるいくつかの実施形態において、つる２１０の長さに沿った少なくとも一部分において、つる２１０は前部２５２及び後部２５４を含む場合があり、各前部２５２及び第２部分２５４は同じ又は異なる材料で形成され得る。いくつかの実施形態において、第１部分２５２はコード２０６の容易な挿入及び取り外しを可能にするために十分な剛性及び／又は平滑な質感を有し得る。いくつかの実施形態において、第２部分２５４は、つる２１０、又は少なくともチャネル２２０に隣接するつる２１０の一部が、例えばコード２０６の挿入及び取り外しの間の取り扱いを促進するように適合され得るために十分に柔軟であり、及び／又は弾力的である。このような多部分つる２１０は、様々な好適な製造プロセスによって形成され得る。例えば、いくつかの実施形態において、第２部分２５４は第１部分２５２上にオーバーモールドされ得、第１部分２５２及び第２部分２５４は、例えばこれらが化学的に一緒に結合されるように、化学的に適合性のある材料によって形成され得る。例えば例示されるつる２１０などの、多部分又は他材料要素の利用はまた、各部分２５２又は２５４が異なる色、質感、不透明性などを含み得るために、ヘッドギア−イヤウェアアセンブリ２００の審美性を向上し得る。
【００６３】
図４〜８に示されるように、いくつかの実施形態において、ヘッドギア２０２、例えば、つる２１０は第２開口２６０を含み得る。第２開口２６０はまたチャネル２２０に隣接する場合があり、チャネル２２０に対して開いている（又は連通している）場合がある。図４〜８に示されるように、いくつかの実施形態において、第２開口２６０が、開口２２２のチャネル２２０の反対に位置付けられる場合がある（例えば、図８参照）。第２開口２６０はまた「後方開口」と称される場合があり、コード２０６のチャネル２２０への挿入を促進するために、コード２０６につる２１０を完全に通過させるために使用され得、これは図１１及び図１２を参照に以下でより詳細に記載される。
【００６４】
上記のように、図４〜８に例示される実施形態は、単に例として前側部分２５２及び後側部分２５４を含む。結果として、いくつかの実施形態において、前側部分２５２は第１後側開口２５９を含む場合があり、後側部分２５４は第２後側開口２６１を含む場合があり、これらは共に全体後側開口２６０を画定する（図５及び図８参照）。後側開口２６０はコード２０６のチャネル２２０への挿入を促進し得るが、後側開口２６０は全ての実施形態において必要ではなく、単に例として示される。いくつかの実施形態において、前側部分２５２及び後側部分２５４は、前側部分２５２が開口２２２を画定し、後側部分２５４が後側開口２５４を画定し、前側部分２５２及び後側部分２５４が共にチャネル２２０を画定するように構成され得る。
【００６５】
上記のように、いくつかの実施形態において、チャネル２２０は、矩形又は別の平行六面体状（例えば、台形）の断面形状を含む、様々な断面形状を有し得る。このような実施形態は、ヘッドギア−イヤウェアアセンブリ２００Ａとして図８Ａに例示される。ヘッドギア−イヤウェアアセンブリ２００Ａが断面図で示され、つる２１０Ａを含むヘッドギア２０２Ａと、コード２０６Ａを含むイヤウェア２０４Ａとを含む。ヘッドギア２０２Ａはチャネル２２０Ａを更に含む。単に例として、つる２１０Ａは１つの構成要素又は材料から形成されるものとして示され、つる２１０Ａ及びチャネル２２０Ａは両方ともほぼ台形の断面形状を有するものとして示される。開口２２２Ａは、図４〜８に例示される上記の開口２２２と同様である。
【００６６】
図４〜８に例示される実施形態と同様に、開口２２２Ａの幅２２６Ａはチャネル２２０Ａの幅２２８Ａよりも小さい。しかしながら、単に例として、開口幅２２６Ａのチャネルの幅２２８Ａに対する比率は、図４〜８に例示される開口幅２２６のチャネル幅２２８に対する比率よりも小さい。
【００６７】
加えて、ヘッドギア２０２Ａ及び特につる２１０Ａは、単一の構成要素２１０Ａによって形成される後側開口２６０Ａを含む。単に例として、後側開口２６０Ａはまた、ほぼ台形の断面形状を有するものとして図８Ａに例示される。
【００６８】
図９は本開示の別の実施形態によるヘッドギア−イヤウェアアセンブリ３００を例示し、類似の数字は類似の要素を表す。ヘッドギア−イヤウェアアセンブリ３００は、図４〜８に図示された実施形態に関連して上述したものと同一の多くの要素及び特徴を共有する。したがって、図４〜８の図示された実施形態の要素及び機構に対応する要素及び機構は、３００番台において同様の参照番号が提供される。図９に示される実施形態の特徴及び要素（並びにこうした特徴及び要素の代替的要素）のより完全な説明については、図４〜８に伴う上記の説明を参照されたい。
【００６９】
ヘッドギア−イヤウェアアセンブリ３００は取り外し可能に一緒に連結され得るヘッドギア３０２及びイヤウェアを含み得る。ヘッドギア−イヤウェアアセンブリ３００のイヤウェアは明確性のために図９には示されないが、本発明において記載されるいずれかのイヤウェアがヘッドギア−イヤウェアアセンブリ３００と共に利用され得る。図９に例示される実施形態において、ヘッドギア３０２はチャネルホルダー３０３を含み（又はこれと連結され得）、チャネルホルダー３０３は、上記で記載され図４〜８に例示されるチャネル２２０及び開口２２２と同様のチャネル３２０及び開口３２２を含む。すなわち、チャネル３２０はイヤウェアのコードを取り外し可能に収容するように適合され、開口３２２は、コードがチャネル３２０内に挿入されることを可能にする一方で、コードの使用中におけるチャネル３２０からの望ましくない脱出を阻止する突起部３２３を含む。単に例として、開口３２２は約３つの突起部又はうねり３２３を含むが、開口３２２は代わりに、図４〜８に示される開口２２２と同じ構成を含み得る又は開口３２２は別の構成を含み得ることが理解されるべきである。
【００７０】
図９に示されるように、いくつかの実施形態において、チャネルホルダー３０３は第２の又は後側開口３６０を更に含む場合があり、これはコードのチャネル３２０内への取り付けを促進するために使用され得る。
【００７１】
図９に示されるように、チャネルホルダー３０３はヘッドギア３０２の別の部分に連結されるように適合される第１部分３６２及びイヤウェアに連結され、かつ例えばチャネル３２０を収容するように適合される第２部分３６４を含み得る。いくつかの実施形態において、第１部分３６２及び第２部分３６４は重複する場合があり、２つの部分３６２と３６４との間に明確な境界が存在する必要はない。図９に例示される実施形態において、第１部分３６２は細長く、一対の眼鏡のつる（例えば、つる１１０又はつる２１０）に連結されるように適合される。特に、単に例として、第１部分３６２は、一対の眼鏡のつるの少なくとも一部を受容するような形状及び寸法である中央ボア３６６を含む。すなわち、いくつかの実施形態において、チャネルホルダー３０３は、眼鏡のつるの端部を形成するように適合される「つる先端部」を含み得る。例えば、いくつかの実施形態において、つる先端部は、金属つるの端部に連結され得る。
【００７２】
図９に示されるように、第２部分３６４は第１部分３６２に対して後側に位置付けられる場合があり、それによってチャネルホルダー３０３がつるに連結されるときに、第２部分３６４がユーザーの耳の上及び／又は僅かに後ろに位置付けられ得る（例えば、図１参照）。このような配置又は構成は、イヤウェアを、ヘッドギア−イヤウェアアセンブリ３００の使用中に、ヘッドギア３０２又はイヤウェアの通常の動作と干渉することなく、アクセスできるようにする場合がある。しかしながら、様々な配置が代わりに利用され得ることが理解されるべきである。
【００７３】
図９に更に示されるように、ヘッドギア３０２及び特に、チャネルホルダー３０３は主表面３１２を含む場合があり、チャネル３２０は主表面３１２に実質的に沿って配置され得る。加えて、ヘッドギア３０２又はその一部、例えばつる又はチャネルホルダー３０３は、長手方向Ｄ１”を更に含む場合があり、チャネル３２０は長手方向Ｄ１”に実質的に沿って配置され得る。換言すると、チャネル３２０は、その長さに実質的に沿って配置される長手方向Ｄ２”を有する場合があり、チャネル３２０の長手方向Ｄ２”はヘッドギア３０２／チャネルホルダー３０３／つるの長手方向Ｄ１”に実質的に沿って配置され得る。
【００７４】
加えて、開口３２２はまた、ヘッドギア３０２及び／又はチャネルホルダー３０３の主表面３１２に実質的に沿って配置され得る。更に、開口３２２は長手方向Ｄ１”に実質的に沿って配置され得る。換言すれば、開口３２２はその長さに実質的に沿って配置される長手方向（明確性のために図示されない）を有する場合があり、開口３２２の長手方向は、チャネル３２０の長手方向Ｄ２”及びヘッドギア３０２／チャネルホルダー３０３／つるの長手方向Ｄ１”の１つ以上に実質的に沿って配向され得る。
【００７５】
いくつかの実施形態において、図９に示されるように、開口３２２の幅３２６は開口３２２の長さに沿って変化し得る。例えば、いくつかの実施形態において、開口３２２の幅３２６は開口３２２の端部に向かって最も狭くなり、開口３２２の中央に向かって最も広くなる場合がある。単に比較として、図９に示されるように、開口３２６は開口３２２の端部に向かって第１のより狭い幅３２６Ａ及び開口３２２の長さ方向中央に向かってより広い幅３２６Ｂを含み得る。加えて、又は別の方法として、いくつかの実施形態において、開口３２２の幅３２６は、開口３２２の深さに沿って変化し得る。
【００７６】
いくつかの実施形態において、ヘッドギア３０２又はその一部、例えばチャネル３０３の第２部分３６４は、取り扱いを促進する及び／又はヘッドギア３０２とイヤウェアを一緒に連結することを促進するような形状であり得る。例えば、いくつかの実施形態において、図９に示されるように、第２部分３６４は第１部分３６２よりも広い場合がある。加えて、湾曲した、テーパ状の形状、多数の構成要素又は材料から形成されることなど、図１〜８に記載される実施形態の追加的な詳細又は代替のいずれかがまた、図９に例示される実施形態適用され得ることが理解されるべきである。
【００７７】
図１０は本開示の別の実施形態によるヘッドギア−イヤウェアアセンブリ４００を例示し、類似の数字は類似の要素を表す。ヘッドギア−イヤウェアアセンブリ４００は、図４〜９に例示された実施形態に関連して上述したものと同一の多くの要素及び特徴を共有する。したがって、図４〜図９の例示の実施形態の要素及び機構に対応する要素及び機構には、４００番台の同じ参照番号を付すものとする。図１０に示される実施形態の特徴及び要素（並びにこうした特徴及び要素の代替的要素）のより完全な説明については、図４〜９に伴う上記の説明を参照されたい。
【００７８】
ヘッドギア−イヤウェアアセンブリ４００は取り外し可能に一緒に連結され得るヘッドギア４０２及びイヤウェアを含み得る。ヘッドギア−イヤウェアアセンブリ４００のイヤウェアは明確性のために図１０には示されない。図１０に例示される実施形態において、ヘッドギア４０２はチャネルホルダー４０３を含み（又はこれと連結され得）、チャネルホルダー４０３は、上記で記載され図４〜８に例示されるチャネル２２０及び開口２２２と同様のチャネル４２０及び開口４２２を含む。すなわち、チャネル４２０はイヤウェアのコードを取り外し可能に収容するように適合され、開口４２２はコードがチャネル４２０内に挿入されることを可能にする一方でコードの使用中におけるチャネル４２０からの望ましくない脱出を阻止するうねった外形を含む。単に例として、開口４２２は図４〜８に示され、上記で記載される開口２２２と同様の約２．５個の突起部又はうねり４２３を含む。しかしながら、開口４２２は代わりに、図９に示される開口３２２と同様の構成、又は別の構成を含み得ることが理解されるべきである。
【００７９】
図１０に示されるように、いくつかの実施形態において、チャネルホルダー４０３はクリップの形状であり得、それによってチャネルホルダー４０３はヘッドギア４０２の別の部分４０５に留めることができる。例えば、いくつかの実施形態において、ヘッドギア４０２はヘッドバンド又はフェースシールドを含む場合があり、チャネルホルダー４０３はこのようなヘッドバンド又はフェースシールドの部分４０５に、所望の位置又は向きで留めることができる。当然、上記のヘッドギア構成のいずれかを利用することができ、チャネルホルダー４０３はそのいずれかの部分に連結されるように構成され得る。したがって、図１０は、チャネルホルダー４０３がヘッドギア４０２の部分４０５に取り外し可能又は可逆的に、容易に連結することができる、実施形態の一例を例示する。いくつかの実施形態において、チャネルホルダー４０３は、各個別のユーザーによって、そのユーザーにとって快適であり、注意を逸らさずかつ有用な位置へと移動され得る。加えて、チャネルホルダー４０３は必要に応じて使用中に部分４０５から分離され得る。
【００８０】
いくつかの実施形態において、チャネルホルダー４０３は、ヘッドギア４０２の部分４０５に連結されるものとして適合される第１部分４６２を含む場合があり、これは図１０においてクリップを含むものとして示される。チャネルホルダー４０３は、イヤウェアに連結され、例えばチャネル４２０を収容するように適合される第２部分４６４を更に含み得る。第１部分４６２及び第２部分４６４は、同じ又は異なる材料から形成され得る。例えば、いくつかの実施形態において、チャネルホルダー４０３の第１部分４６２は、第１部分４６２がヘッドギア４０２になんらかの損傷を生じることなく、ヘッドギア４０２の部分４０５に確実に連結されることを可能にする材料から形成される必要があり得る。チャネルホルダー４０３の第２部分４６４は、チャネル４２０及び／又は開口４２２の構造的一体性を維持するために好適に剛性及び／又は平滑である材料から形成される必要があり得る。
【００８１】
図１０に示されるように、第１部分４６２は前側クリップ部分４６８及び後側クリップ部分４７０を含む場合があり、少なくともその上部が互いに向かって付勢されている。付勢力（例えば、これはばね又は他の好適な構造によって提供され得る）は、前側クリップ部分４６８及び後側クリップ部分４７０の下部を互いに向かって圧迫することによって克服することができ、それによって前部クリップ部分４６８及び後側クリップ部分４７０の上部の間の開口部４７２を拡げ、それによってヘッドギア４０２の部分４０５は、前側クリップ部分４６８と後側クリップ部分４７０の中間に（すなわち、開口部４７２に）位置付けることができる。
【００８２】
加えて、上記に記載され、図４〜８、及び９に示されるチャネル２２０及び３２０と同様に、チャネル４２０はヘッドギア４０２の主表面４１２に実質的に沿って配置され得る。主表面４１２は、チャネルホルダー４０３、チャネルホルダー４０３が連結されるヘッドギアの一部４０２、又はこれらの組み合わせによって形成され得る。更に、開口２２２及び３２２に関して上記のように、開口４２２は変化する幅４２６を有する場合があり、その端部で最も狭く、その中央で最も広い場合がある。更に、チャネルホルダー４０３は第２の又は後側開口４６０を含む場合があり、これはコードをチャネル４２０に取り付けるために使用され得る。
【００８３】
加えて、湾曲した、テーパ状の形状、多数の構成要素又は材料などから形成されることなど、図１〜９に記載される実施形態の追加的な詳細又は代替のいずれかがまた、図１０に例示される実施形態にまた適用され得ることが理解されるべきである。
【００８４】
図１１及び図１２はヘッドギア−イヤウェアアセンブリの方法を例示する。図１１及び図１２に例示される方法は、単に例として図４〜８に例示されるヘッドギア−イヤウェアアセンブリ２００に関して記載される。しかしながら、本方法はコードを、波形の開口２２２、２２２Ａ、３２２及び４２２、並びに後側開口２６０、２６０Ａ、３６０及び４６０を利用する、本明細書において記載されるヘッドギア−イヤウェアシステム２００、２００Ａ、３００及び４００のいずれかに取り付けるために使用され得ることが理解されるべきである。
【００８５】
図１１に示されるように、コード２０６は把持され（例えば、親指１６及び人差し指１８との間で）、ループ２７５に形成され、これは開口２２２を通じ、チャネル２２０を通じ、後側開口２６０の外へと送達され得る。図１２に示されるように、ループ２７５は、例えば親指１８をループ２７５を通じて配置することによって、ヘッドギア２０２（例えば、つる２１０）の後ろに保持され得る。加えて、ループ２７５は、必要に応じて後側開口２６０の外に更に引かれ得る。図１２に示されるように、ループ２７５（又はコード２０６の一部）が適所に保持される間にコード２０６が側方に引かれる（例えば、親指１６によって）場合があり、これによりコード２０６が開口２２２を通され、チャネル２２０内に取り付けられる。コード２０６のチャネル２２０への取り付けを完成させるために、同じ動作が反対側で行われ得る（例えば、同時に又は連続的に）。
【００８６】
すなわち、図１２に示されるように、コード２０６をチャネル２２０内に位置付けることは、コード２０６の長手方向を、チャネル２２０の長手方向Ｄ２’に実質的に沿って配置することを含み得る。加えて、コード２０６を開口２２２及び／又はチャネル２２０内に位置付けることは、コード２０６を挿入する前又はコード２０６を開口２２２及び／又はチャネル２２０に挿入する際にコード２０６を伸張させる（例えば、長さ方向に）することを含み得る。
【００８７】
上記のような、同じ方法が、ヘッドギア−イヤウェアシステム３００及び４００を組み立てるために使用され得る。このような実施形態を組み立てる方法は、チャネルホルダー３０３、４０３をヘッドギア３０２、４０２の別の部分（例えば、４０５）に連結することを更に含み得る。例えば、いくつかの実施形態において、チャネルホルダー３０３をヘッドギア３０２の別の部分に連結することは、チャネルホルダー３０３の第１部分３６２をヘッドギア３０２のつるに連結することを含み得る。いくつかの実施形態において、チャネルホルダー４０３をヘッドギア４０２の部分４０５に連結することは、チャネルホルダー４０３を部分４０５に留めることを含み得る。
【００８８】
図１１及び図１２に例示され、上記される方法は、単に例として含まれるが、本開示はこの組み立て方法に限定されず、他の方法が本開示の趣旨及び範囲内である。
【００８９】
上記され、図面に示した実施形態はあくまで一例として示したものであり、本開示の概念及び原理に対する限定を意図したものではない。したがって、当業者であれば、本発明の趣旨及び範囲から逸脱することなく各要素並びにその構成及び配置における様々な変更が可能である点は認識されるであろう。本開示の様々な特徴及び態様が以下の「特許請求の範囲」において記載される。
【図１】
2012531252.tif 000003
【図２】
2012531252.tif 000004
【図３】
2012531252.tif 000005
【図３Ａ】
2012531252.tif 000006
【図４】
2012531252.tif 000007
【図５】
2012531252.tif 000008
【図６】
2012531252.tif 000009
【図７】
2012531252.tif 000010
【図８】
2012531252.tif 000011
【図８Ａ】
2012531252.tif 000012
【図９】
2012531252.tif 000013
【図１０】
2012531252.tif 000014
【図１１】
2012531252.tif 000015
【図１２】
2012531252.tif 000016
【国際調査報告】
2012531252.tif 000017
2012531252.tif 000018